(57)【要約】【課題】  コンパクトでより安全に効率よく、労力を使わないで主柱の建て込みが行える建て込み装置を提供する。【解決手段】  油圧シリンダーと回転アームが回転アームのほぼ中間で入の字型に回転軸を介して結合してあり、それぞれの端部がやはりそれぞれ回転軸を介して本体の柱の所定の位置に離して止めてあり、回転アームの他端には回転アームに対して直角に丸棒が支持捧として取り付けてあり、油圧により油圧シリンダーが伸長すると回転アームは上方に押し上げられ、それに固定して取り付けてある支持捧が防雪柵の主柱を起こすようになっている【選択図】図１
0003130059.tif 000002
【実用新案登録請求の範囲】
【請求項１】
長さ５０ｃｍ程の油圧シリンダーと長さ３５ｃｍ程の回転アームが回転アームのほぼ中間で入の字型に回転軸を介して結合してあり、それぞれの端部がやはりそれぞれ回転軸を介して本体の柱の所定の位置に約６０ｃｍ離して止めてあり、回転アームの他端には回転アームに対して直角に長さ約５０ｃｍ、直径約６ｃｍの丸棒が支持捧として取り付けてあり、油圧により油圧シリンダーが伸長すると回転アームは上方に押し上げられ、それに固定して取り付けてある支持捧が防雪柵の主柱を起こすようになっている事を特徴とする油圧式主柱建て込み装置。
【請求項２】
防雪柵の主柱台座に本装置を固定するための長さ約６０ｃｍの外れ止めアームが本体下部に直角に取り付けてあることを特徴とする請求項１記載の油圧式主柱建て込み装置。
【請求項３】
本装置を移動させる時に便利なように、本体を傾けた折車輪が接地するような位置に移動用車輪が取り付けてあることを特徴とする請求項１、２記載の油圧式主柱建て込み装置。
【考案の詳細な説明】
【技術分野】
【０００１】  防雪柵の主柱の建て込み作業を油圧により行う装置に関する。
【背景技術】
【０００２】  従来豪雪地帯に於いて降雪期には雪による交通障害を緩和するために道路横に防雪柵を設置した。防雪柵は現地に設置したままにする場合もあるが、通常は降雪期が終了するとそれを畳んで現場にそのまま収納し、降雪期前にはそれを建て上げるようになっている。【０００３】  建て上げ、収納の仕方は様々である。以前から行われている重機やクレーン車を使用して作業員が行う方法は作業のための広い場所を必要とし、時間もかかり作業員の安全性についても問題が多かった。【０００４】  それに対し、重機やクレーン車を使用しないで主柱の建て込みが出来る方法が開発され（実新第３１０１５２４号）、作業効率は大幅に向上した。しかしこの装置は主柱とほぼ同じ高さの柱を持つので嵩張り、主柱を起こすためにウインチを手で巻き上げるようになっており、建て込み中の主柱のそばで作業をしなければならないという点では安全面から見て多少問題があった。
【考案の開示】
【考案が解決しようとする課題】
【０００５】  コンパクトでより安全に効率良く、労力を使わないで主柱の建て込みが行える建て込み装置を提供する。
【課題を解決するための手段】
【０００６】  本考案は上記問題に鑑みてなされたものであり、油圧を利用して主柱を建て込むようにしてある。つまり油圧シリンダーによって防雪柵の主柱を支える回転アームと支持棒を稼動させ、主柱が直立するまで起きたとき回転アームは停止するようになっている。そこで主柱をピンあるいはボルトで固定してから、建て込み装置をはずして一連の作業は終了する。移動には本体に取り付けてある車輪を使用する。
【考案の効果】
【０００７】  本装置は長い柱等を持たないコンパクトなものであり、簡単に移動させて主柱台座にセットできる。回転アームを動かす油圧シリンダーは油圧ポンプから送られてくるオイルの圧力によって作動するので、作業者は安全な場所で作業が出来、かつウインチを巻き上げる等の労力は必要としない。
【考案を実施するための最良の形態】
【０００８】  主柱建て込み装置を防雪柵の所まで運び、主柱台座に取り付けて固定するための外れ止めアームを主柱台座の下部に差し込み固定する。主柱建て込み装置本体には主柱を起こすための回転アームと油圧シリンダーがそれぞれの端部で一定距離、離して取り付けてあり、それぞれの取り付け場所で回動できるようになっている。かつ油圧シリンダーの他端は回転アームの中間にやはり回動できるように入の字形に取り付けてある。回転アームの他端には回転アームに対して直角に主柱を支える支持棒が取り付けてあって、これが主柱を起こすようになっている。
【実施例】
【０００９】  本考案の主柱建て込み装置を図面に基づいて説明すると、図１は全体の概念を示す斜視図であり、高さ９０ｃｍ程の本体１に長さ５０ｃｍ程の油圧シリンダー２と長さ３５ｃｍ程の回転アーム３のそれぞれの端部が６０ｃｍ程離して本体の所定の位置に回転軸４，５を介して取り付けてあり、油圧シリンダー２と回転アーム３は回転軸４，５を中心にそれぞれ回動する事が出来る。【００１０】  油圧シリンダー２の他端は回転アーム３のほぼ中間に回転軸６で入の字型に結合してあり、油圧シリンダーの伸長に伴って回転アーム３は上に押し上げられるようになっている。回転アームの先端には回転アームに対して直角に直径６ｃｍ程の丸棒が主柱を押し上げる支持捧７として取り付けてある。【００１１】  本体１の下部から横に突き出している長さ約６０ｃｍの外れ止めアーム８は防雪柵の主柱台座に挿し込んだ後、台座から本体１が抜けないようにピン９でロックするようになっている。【００１２】  またこの装置の移動に便利なように本体下部の横に車輪１０が取り付けてあり、移動する折は本体１を傾けて車輪１０を接地させて楽に移動することができる。【００１３】  図２にはこの主柱建て込み装置を使用して防雪柵の主柱を起こしている実施態様を示してある。煩雑さを避けるために防雪柵の全体像は画かず、主柱の根元部分のみを示してある。油圧シリンダー２が伸びて回転アーム３を押し上げ、支持捧７によって主柱１１が支えられて起きつつある場面である。
【産業上の利用可能性】
【００１４】  以上説明したように、本考案の主柱建て込み装置は付属の車輪で簡単に主柱台座まで移動でき、外れ止めアームで主柱台座に固定した後、油圧ポンプを作動させて油圧シリンダーを伸長させることにより回転アーム、支持捧を介して主柱を建て込む事ができるので以前に比べ作業は容易であり、短時間で作業を終了することができる。
【図面の簡単な説明】
【００１５】
【図１】主柱建て込み装置斜視図。
【図２】主柱建て込み装置を利用して主柱を起こしている状況を示す実施態様図。
【符号の説明】
【００１６】  １  本体
２  油圧シリンダー
３  回転アーム
４  回転軸
５  回転軸
６  回転軸
７  支持捧
８  外れ止めアーム
９  ピン
１０  車輪
１１  主柱
【図１】
0003130059.tif 000003
【図２】
0003130059.tif 000004
【手続補正書】
【提出日】平成18年11月29日(2006.11.29)
【手続補正１】
【補正対象書類名】実用新案登録請求の範囲
【補正対象項目名】全文
【補正方法】変更
【補正の内容】
【実用新案登録請求の範囲】
【請求項１】
長さ５０ｃｍ程の油圧シリンダーと長さ３５ｃｍ程の回転アームが回転アームのほぼ中間で入の字型に回転軸を介して結合してあり、それぞれの端部がやはりそれぞれ回転軸を介して本体の柱の所定の位置に約６０ｃｍ離して止めてあり、回転アームの他端には回転アームに対して直角に長さ約５０ｃｍ、直径約６ｃｍの丸棒が支持捧として取り付けてあり、油圧により油圧シリンダーが伸長すると回転アームは上方に押し上げられ、それに固定して取り付けてある支持捧が防雪柵の主柱を起こすようになっている事を特徴とする油圧式主柱建て込み装置。
【請求項２】
防雪柵の主柱台座に本装置を固定するための長さ約６０ｃｍの外れ止めアームが本体下部に直角に取り付けてあることを特徴とする請求項１記載の油圧式主柱建て込み装置。
【請求項３】
本装置を移動させる時に便利なように、本体を傾けた折車輪が接地するような位置に移動用車輪が取り付けてあることを特徴とする請求項１または２記載の油圧式主柱建て込み装置。